(57)【要約】【課題】  簡易な構造で小型であり、メンテナンスが容易で、廉価な畦塗り機を提供する。【解決手段】  トラクター１のリンク機構２に昇降自在に取付けられ、そのトラクター１によって牽引されながら、田の畦Ｂを泥Ｄで塗り固める畦塗り機であって、前部に位置し、地面の泥Ｄを掬い上げる湾曲状の掬い部１１と、中間部に位置し、前記掬い部１１で掬い上げた泥Ｄを、徐々に連続的に垂直方向に立ち上げる断面略Ｌ字状で捻れ傾斜板状の立上げ部１２と、後部に位置し、前記立上げ部１２で立ち上げた泥Ｄを、畦Ｂに押付けながら塗り込む断面略Γ字状の塗込み部１３とで構成する。【選択図】      図１
2005052074.tif 000002
【特許請求の範囲】
【請求項１】
トラクター（１）のリンク機構（２）に昇降自在に取付けられ，該トラクターによって牽引されながら，田の畦（Ｂ）を泥（Ｄ）で塗り固める畦塗り機であって、前部に位置し，地面の泥を掬い上げる湾曲状の掬い部（１１）と、中間部に位置し，前記掬い部で掬い上げた泥を，徐々に連続的に垂直方向に立ち上げる断面略Ｌ字状で捻れ傾斜板状の立上げ部（１２）と、後部に位置し，前記立上げ部で立ち上げた泥を，畦に押付けながら塗り込む断面略Γ字状の塗込み部（１３）とからなる畦塗り機。
【請求項２】
トラクター１のリンク機構（２）に昇降自在に取付けられ，該トラクターによって牽引されながら，田の畦（Ｂ）を泥（Ｄ）で塗り固める畦塗り機であって、前部に位置し，地面の泥を掬い上げる湾曲状の掬い部（１１）と、中間部に位置し，前記掬い部で掬い上げた泥を，徐々に連続的に垂直方向に立ち上げる断面略Ｌ字状で捻れ傾斜板状の立上げ部（１２）と、後部に位置し，前記立上げ部で立ち上げた泥を，畦に押付けながら塗込む断面略Γ字状の塗込み部（１３）とからなり、前記掬い部と立上げ部の境界部，および立上げ部と塗込み部の境界部のうち，少なくとも，泥が通過する部分を滑らかな円滑連接面（１４）としてなる畦塗り機。
【発明の詳細な説明】
【技術分野】
【０００１】
本発明は、田の畦を泥で塗り固めるための畦塗り機に関するものである。
【背景技術】
【０００２】
一般に、二月から三月にかけて、田から水が漏れないようにするために、田の周囲の畦を泥で塗り固める、いわゆる畦塗りが行なわれる。この畦塗りは、手作業で行うのが一般的であるが、高度な熟練技術と強い体力を必要とするので、農作業を行うものにとっては過酷な作業となっている。
【特許文献１】特開平７−０６７４０２号公報
【発明の開示】
【発明が解決しようとする課題】
【０００３】
近年、こうした農作業者の負担を軽減するために、畦塗りを機械的に行う畦塗り機が考えられている。しかし、この従来の畦塗り機は、構造が複雑で大型であるためその取扱いやメンテナンスが難しく、また、高価であるといった問題がある。
【０００４】
本発明はこうした点に鑑み創案されたもので、簡易な構造で小型であり、メンテナンスが容易で、廉価な畦塗り機を提供することを課題とする。
【課題を解決するための手段】
【０００５】
図１乃至図４を参照して説明する。請求項１に記載の発明は、トラクター１のリンク機構２に昇降自在に取付けられ、そのトラクター１によって牽引されながら、田の畦Ｂを泥Ｄで塗り固める畦塗り機であって、前部に位置し、地面の泥Ｄを掬い上げる湾曲状の掬い部１１と、中間部に位置し、前記掬い部１１で掬い上げた泥Ｄを、徐々に連続的に垂直方向に立ち上げる断面略Ｌ字状で捻れ傾斜板状の立上げ部１２と、後部に位置し、前記立上げ部１２で立ち上げた泥Ｄを、畦Ｂに押付けながら塗り込む断面略Γ字状の塗込み部１３とからなるものである。
【０００６】
請求項２に記載の発明は、トラクター１のリンク機構２に昇降自在に取付けられ、そのトラクター１によって牽引されながら、田の畦Ｂを泥Ｄで塗り固める畦塗り機であって、前部に位置し、地面の泥Ｄを掬い上げる湾曲状の掬い部１１と、中間部に位置し、前記掬い部１１で掬い上げた泥Ｄを、徐々に連続的に垂直方向に立ち上げる断面略Ｌ字状で捻れ傾斜板状の立上げ部１２と、後部に位置し、前記立上げ部１２で立ち上げた泥Ｄを、畦Ｂに押付けながら塗込む断面略Γ字状の塗込み部１３とからなり、前記掬い部１１と立上げ部１２の境界部、および立上げ部１２と塗込み部１３の境界部のうち、少なくとも、泥Ｄが通過する部分を滑らかな円滑連接面１４としてなるものである。
【発明の効果】
【０００７】
請求項１に記載の発明に係る畦塗り機１０は、湾曲状の掬い部１１と、断面略Ｌ字状で捻れ傾斜板状の立上げ部１２と、断面略Γ字状の塗込み部１３とで構成しているので、構造がきわめて簡易である。従って、小型化を図ることができ、その取扱いおよびメンテナンスが容易で、低価格で製造および提供することができる。
【０００８】
請求項２に記載の発明に係る畦塗り機１０は、請求項１に記載の発明と同様に簡易で小型な構造で、その取扱いおよびメンテナンスが容易で、廉価なものとすることができる。また、掬い部１１と立上げ部１２の境界部、および立上げ部１２と塗込み部１３の境界部のうち、少なくとも、泥Ｄが通過する部分を滑らかな円滑連接面１４としているので、掬い上げた泥Ｄを無駄なく円滑に畦Ｂに塗り込むことができる。これにより、畦塗り作業をより効果的に進めることができる。
【発明を実施するための最良の形態】
【０００９】
本発明に係る畦塗り機１０の実施形態を、図１乃至図４に示す。これは、トラクター１の後部に備えられたリンク機構（三点リンクヒッチ）２に昇降自在に取付けられ、そのトラクター１によって牽引されながら、田の畦Ｂを泥Ｄで塗り固める畦塗り機であり、掬い部１１、立上げ部１２および塗込み部１３を一体的に組付けて構成している。
【００１０】
掬い部１１は、最前部に位置し、地面の泥Ｄを掬い上げるもので、前部から後部に向けて徐々に起立するように湾曲状に形成されている。立上げ部１２は、中間部（掬い部１１の後方）に位置し、掬い部１１で掬い上げた泥Ｄを、徐々に連続的に垂直方向に立ち上げるもので、断面略Ｌ字状で捻れ傾斜板状である。また、塗込み部１３は、最後部（立上げ部１２の後方）に位置し、立上げ部１２で立ち上げた泥Ｄを、畦Ｂの一方側面と上面（特に両者の角部Ｃ）に強く押付けながら塗込むものである。この塗込み部１３は、縦向きの縦壁１３ａ、横向きの横壁１３ｂおよびその間にＲを形成する湾曲壁１３ｃとで構成される断面略Γ字状である。
【００１１】
そして、掬い部１１と立上げ部１２の境界部、および立上げ部１２と塗込み部１３の境界部のうち、泥Ｄが通過する部分を滑らかな円滑連接面１４としている。
【００１２】
この畦塗り機１０の作用について説明する。図１乃至図３における曲線は、泥Ｄの流れを示す。トラクター１のリンク機構２を下降状態とし、畦Ｂに沿って走行させる。これにより、畦塗り機１０の掬い部１１が地面の泥Ｄを掬い上げる（図４（ａ）参照）。掬い上げられた泥Ｄは、立上げ部１２によって徐々に垂直方向に立ち上げられ、畦Ｂの一方側面に沿った状態に置かれる（図４（ｂ））。続いて、その泥Ｄは、塗込み部１３の縦壁１３ａと横壁１３ｂによって畦Ｂの一方側面と上面（特に、両者間の角部）に強く押し付けられる（図４（ｃ））。こうして押し付けられた泥Ｄは、畦Ｂに強固に塗り付けられるので、モグラ等の小動物の穴も確実に塞がれ、田の畦Ｂから水が漏れるといった問題が発生しない。
【００１３】
本実施形態における畦塗り機１０は、その構造がきわめて簡単であるため、小型化することができ、その取扱いおよびメンテナンスが容易となる。また、製造コストも抑えることができる。さらに、掬い部１１と立上げ部１２の境界部、および立上げ部１２と塗込み部１３の境界部のうち、泥Ｄが通過する部分を滑らかな円滑連接面１４としているので、掬い上げた泥Ｄを無駄なく円滑に畦Ｂに塗り込むことができる。従って、作業性が向上する。
【００１４】
なお、畦塗り作業が終了後は、トラクターのリンク機構を上昇させて畦塗り機１０を地面から浮かせた状態で移動する。
【図面の簡単な説明】
【００１５】
【図１】本発明に係る畦塗り機の実施形態を示すもので、トラクターに取付けた状態を示す側面図である。
【図２】図１に示す畦塗り機の側面図である。
【図３】図１に示す畦塗り機の平面図である。
【図４】図１に示す畦塗り機の作用を示すもので、（ａ）はＸ−Ｘ線断面図、（ｂ）はＹ−Ｙ線断面図、（ｃ）はＺ−Ｚ線断面図である。
【符号の説明】
【００１６】
１        トラクター
２        リンク機構
１０      畦塗り機
１１      掬い部
１２      立上げ部
１３      塗込み部
１３ａ    縦壁
１３ｂ    横壁
１３ｃ    湾曲壁
１４      円滑連接面
Ｂ        畦
Ｃ        角部
Ｄ        泥
【図１】
2005052074.tif 000003
【図２】
2005052074.tif 000004
【図３】
2005052074.tif 000005
【図４】
2005052074.tif 000006